(57)【要約】【課題】発熱体から放射される熱をやぐらこたつ内に蓄積して保温性を向上し、電気消費量を節減する。【解決手段】椅子等に腰掛けて使用する卓式電気やぐらこたつにおいて、やぐら２の四隅部に所定長さの脚３を取付けて形成したやぐらこたつ本体１のやぐら２の略中央部下面側に発熱体ユニット４を設けると共にこたつ本体１の下方部に、前記各脚３で略水平に支持させて足のせ板５を設ける。足のせ板５は、脚３の下端から所望の高さだけ上方部に位置させて設ける。【選択図】図１
0003102653.tif 000002
【実用新案登録請求の範囲】
【請求項１】
椅子等に腰掛けて使用する卓式電気やぐらこたつであって、
やぐらの四隅部に所定長さの脚を取付けて形成したやぐらこたつ本体と、
前記やぐらの略中央部下面側に設けた発熱体ユニットと、
前記やぐらと対向させて前記やぐらこたつ本体の下方部に、前記各脚で支持させて略水平に設けた足のせ板、とを備え、
前記足のせ板は、前記脚の下端から所望の高さだけ上方部側へ位置させて設けてあることを特徴とする、
卓式電気やぐらこたつ。
【請求項２】
前記やぐらは略正方形状に形成されていることを特徴とする、請求項１に記載の卓式電気やぐらこたつ。
【請求項３】
前記やぐらは略長方形状に形成されていることを特徴とする、請求項１に記載の卓式電気やぐらこたつ。
【請求項４】
前記発熱体ユニットは前記やぐらの下面から所望の寸法で下方部側へ下げた位置に配置して設けられていることを特徴とする、請求項１ないし請求項３のいずれか１項に記載の卓式電気やぐらこたつ。
【請求項５】
前記足のせ板上に敷設する足のせ用敷き布団をさらに備えていること特徴とする、請求項１ないし請求項４のいずれか１項に記載の卓式電気やぐらこたつ。
【考案の詳細な説明】
【技術分野】
【０００１】
本考案は、一般的には電気やぐらこたつ、さらに詳しくは、椅子等に腰掛けて使用する卓式電気やぐらこたつに関する。
【背景技術】
【０００２】
従来の電気やぐらこたつは、一般に和室用に構成されている。即ち、やぐらの四隅部に脚を取付けて座卓形に形成したやぐらこたつ本体の前記やぐらの下面に発熱体ユニットを装着してなり、正座やあぐら等、座って使用するように構成（従来例１）したものが一般に知られている。
【０００３】
ところで、近時においては部屋全体を暖房する暖房手段が一般に普及し、電気やぐらこたつの使用者は減少する傾向にある。
電気やぐらこたつは、部屋暖房と比べ、消費エネルギーを軽減できると共に足部を暖めて頭部を冷やす等の長所を有しているが、上記した従来例１の電気やぐらこたつは洋間等で使用する場合には適していないと共に特に若い人、或は座る生活習慣になじみのない者にとっては使用し難い問題を有している。
【０００４】
そこで、従来例１の電気やぐらこたつの上記した問題を解消する目的で、椅子に座って使用する卓式の電気やぐらこたつの開発が試みられている。この卓式電気やぐらこたつは、従来例１と同様に構成した電気やぐらこたつの脚を長くし、椅子に腰掛けて使用するように構成（従来例２）したものである。この従来例２によれば、従来例１の上記問題点を一応解消することができる。
【０００５】
しかし、従来例２においても次のような点において問題が残されている。（１）従来例２は、発熱体ユニットから放射される熱がやぐらこたつの下端側から逃げ易い。そのため、従来例２においては、こたつ用掛布団を大き目に形成して布団の裾部を床面に接触させて覆わせるように構成し、上記した熱の逃げを防止するようにしている。その結果、掛布団の裾部が汚れる問題が生じる。（２）従来例２は足（履物をはいたまま、或は履物をぬいで）を床面につけて使用するものであるため、発熱体から足までの距離が遠くなる。そのため、足部が温まり難い。（３）こたつ用の掛布団で囲まれたエリアが大になるので、前記エリア全体を充分に暖めるには電気消費量が大きくなる。また、同時に熱エネルギーのロスが大になる。
【考案の開示】
【考案が解決しようとする課題】
【０００６】
本考案は上記のような実情に鑑み、従来例２の上記（１）〜（３）の問題を解消した卓式電気やぐらこたつを提供することを目的とするものである。
【課題を解決するための手段】
【０００７】
上記目的を達成するため、本考案のうち１つの考案（第１の考案）は椅子等に腰掛けて使用する卓式電気やぐらこたつであって、やぐらの四隅部に所定長さの脚を取付けて形成したやぐらこたつ本体と、前記やぐらの略中央部下面側に設けた発熱体ユニットと、前記やぐらと対向させて前記やぐらこたつ本体の下方部に、前記各脚で支持させて略水平に設けた足のせ板、とを備え、前記足のせ板は、前記脚の下端から所望の高さだけ上方部側へ位置させて設けてあることを特徴とする。なお、この明細書において「卓式」とは、椅子等に腰掛けて使用する形式の意味として用いられている。
【０００８】
第１の考案の卓式電気やぐらこたつにおいて、前記やぐらは略正方形状に形成（第２の考案）し、或いは略長方形状に形成（第３の考案）することができる。
【０００９】
本考案のうち他の１つの考案（第４の考案）は、第１ないし第３のいずれかの卓式電気やぐらこたつにおいて、前記発熱体ユニットは前記やぐらの下面から所望の寸法で下方部側へ下げた位置に配置して設けられていることを特徴とする。
【００１０】
本考案のうちさらに他の１つの考案（第５の考案）は、第１ないし第４のいずれかの卓式電気やぐらこたつにおいて、前記足のせ板上に敷設する足のせ用敷き布団をさらに備えていること特徴とする。
【考案の効果】
【００１１】
本考案によれば次のような効果を奏する。（１）やぐらこたつ本体の下方部に、脚の下端から適当な高さだけ上方部側へ位置させて各脚で支持させて略水平に設けた足のせ板を備えているので、発熱体ユニットの電気発熱体から放射される熱エネルギーが外部へ逃げるのを防止して、やぐらこたつ内に蓄積し、保温性を向上する。（２）前記（１）により、やぐらこたつ内の保温性が向上するので、電気消費量を節減することができる。（３）前記足のせ板により、やぐらこたつ本体の下端側から熱が外部へ逃げるのを防止するので、こたつ用掛布団の裾部を床面に接触させないように構成することができる。したがって、従来例２のように布団の裾部が床面に接触して汚れる問題を解消することができる。（４）履物をはいたままで前記足のせ板の下部へ足を入れて使用できると共に履き物をぬいで足を前記足のせ板上に乗せて使用することができる。（５）第４の考案によると、発熱体ユニットと前記板との距離が近くなるので、第１ないし第３の考案の効果に加え、やぐらこたつ本体の下部側への熱伝導効果がさらに向上する。（６）第５の考案によれば、足のせ用敷き布団内に熱が蓄積されるので、第１ないし第４の考案の効果に加え、保温効果がさらに向上する。
【考案を実施するための最良の形態】
【００１２】
以下図面を参照して本考案の実施の形態の一例を説明する。図１は本考案の卓式電気やぐらこたつの一実施の形態を示す斜視図、図２は同上こたつの側面図、図３は図２のＡ−Ａ線断面図、図４は同上こたつのやぐらこたつ本体を組み立てる状態を示す説明図、図５は同上やぐらこたつ本体に足のせ板を取付ける状態を示す説明図、図６は同上こたつにこたつ用掛布団を掛けた状態を示す側面図、図８はこたつ用掛布団を展開して示す説明図である。
【００１３】
これらの図１ないし図８において、この実施の形態の卓式電気やぐらこたつは、やぐら２と、このやぐら２の四隅部に取付けた４本の脚３とで形成したやぐらこたつ本体１と、前記やぐら２の下面側に設けた発熱体ユニット４と、やぐらこたつ本体１の下方部に設けた足のせ板５とを備えている。
【００１４】
前記やぐら２は井桁状に組まれた中枠体１１の四方を外枠体１２で囲ませて四角形状に組み立てられている。実施の形態のやぐら２は、図４に詳細に示すように、外枠体１２の接合する各枠板１２ａ同士の端部側の内側面に取付金具１３を設け、この金具１３の両端部を前記枠板１２ａにネジ止めその他の固定手段１４で固定して連結してある。
なお、前記やぐら２は図示以外の構成に変更可能なものである。また、実施の形態のやぐら２は略正方形状に形成した例を開示したが、略長方形状等に形成してもよいこと勿論である。
【００１５】
前記各脚３は、やぐら２の四隅部に取付けてある。前記脚３の長さは卓式のやぐらこたつを形成するのに適した長さ、即ち、椅子等（図７参照）に腰掛けて使用する一般の食卓等の脚の長さと同じ程度に形成してある。
この実施の形態の前記脚３は概略Ｖ形断面形状に形成され、各脚３の一端部（図において上端部）の内側面には、脚３の内壁面と対応する大きさの三角形状に形成した取付用部材２１を接着その他の手段により固定して設けてある。前記各取付用部材２１には後述するボルトと螺合するナット部材２２，２２が上下に配置して埋め込み式に設けてある。
【００１６】
前記取付金具１３には前記ナット部材２２,２２と対応する部位に位置させてボルト挿入孔１５，１５が形成されている。そして、前記脚３の取付用部材２１を前記取付金具１３に当接し、ボルト１６を前記孔１５へ挿入して締め付けて脚３をやぐら２に固定し、やぐらこたつ本体１を組み立てるように構成してある。
なお、やぐらこたつ本体１の組立手段は一例として開示したもので、図示以外の任意の構成に変更可能なものである。要は、やぐら２と、やぐら２の四隅部に取付けた所定長さの脚３を備える構成を採用すればよいものである。
【００１７】
前記発熱体ユニット４は、前記やぐら２の略中央部下面側に取付けてある。実施の形態の発熱体ユニット４は、適当な長さの取付杆１７により、やぐら２の下面から所望の寸法で下方側へ下げた位置に取付けてある。さらに具体的には、４本の取付杆１７を用い、各杆１７の一端部（図において上端部）を中枠体１１の桟木１１ａにネジ止めその他の固定手段により固定すると共に各杆１７の他端部（図において下端部）を前記ユニットの四辺の外側にネジ止めその他の固定手段により固定して取付けてある。これにより、前記ユニット４とやぐらこたつ本体１の下端との間に距離が近くなるので、前記ユニット４から放射される熱の下方部側への伝導効果がよくなる。
なお、前記ユニット４を下げる寸法は特に限定するものではないが、例えば、中枠体１１の下面から約５ｃｍないし約１０ｃｍ程度を挙げることができる。また、前記ユニット４の取付手段は一例として開示したもので、他の構成の取付手段を採用してもよい。
【００１８】
前記発熱体ユニット４には、電気発熱体（図示せず）、反射板（図示せず）が内蔵されている。また、前記ユニット４は、サーモスタット（図示せず）、温度調節用摘み４１、及び図示しない電気コードのコンセントを差し込むプラグ差込口４２を備え、電気発熱体のスイッチをサーモスタットでＯＮ，ＯＦＦし、前記摘みにより設定された温度に自動調整するように構成されている。
【００１９】
前記足のせ板５は、前記やぐら２と対向させて前記やぐらこたつ本体１の下方部に、前記各脚３で略水平に支持させると共に前記脚３の下端から所望の高さＨ（図２参照）だけ上方側へ位置させて設けてある。前記足のせ板を設ける位置（高さ）は特に限定するものではないが、例えば、平均的な人間３０（図７参照）の足３１の甲が入る程度の高さ、具体的には約１０ｃｍないし約１２ｃｍ程度の範囲を挙げることができる。
【００２０】
実施の形態の足のせ板５は、左右及び前後の各縁部を適当な曲率で内側方向へ湾曲した湾曲凹部５１に形成されている。この凹部５１は、こたつを使用する際に人間３０の足３１を前記板５の下部へ入れ易くするために形成したものである。
【００２１】
また、実施の形態では、前記各脚３の下端部近くの所定高さに位置する内側面に戴置台片５２を接着その他の手段で固定して設けてあると共に各戴置台片５２には後述する棒状体を差し込む棒差込孔５３を設けてある。また、前記足のせ板５の各角部５４には前記孔５３と共通する棒差込孔５５が設けてある。そして、足のせ板５の各角部５４を各戴置台片５２上に戴置し、一端に頭部５６を有する金属製等の棒状体５７を前記両孔５５，５３に差し込んで前記板５を脚３に係止させるように構成してある。
なお、前記脚３は図示の形状に限定するものではなく、例えば、角棒形、或いは丸棒形その他任意の形状に変更できる。また、前記足のせ板５の脚３に対する取付手段も図示以外の任意の構成に変更できるものである。
【００２２】
実施の形態の電気やぐらこたつは、前記足のせ板５上に戴置（敷設）して使用する足のせ用敷き布団５８を備えている。前記敷き布団５８は前記板５と略同じ大きさに形成されている。この敷き布団５８は専用に作ったものを採用してもよいが、一般に使用されている座布団等を採用することもできる。前記敷き布団５８を足のせ板５上に敷設することにより、前記ユニット４の電気発熱体から放射される熱エネルギーは前記布団５８に蓄積されるので、こたつ本体１内の暖房効果が向上すると共に足の裏からも暖が伝わるので、身体の芯から温めることができる。
【００２３】
次にこたつ用掛布団の一例につき説明する。こたつ用掛布団６は図８に詳細に示すように、中央部に前記やぐら２と対応する大きさに形成した天井布団部６１と、この布団部６１の左右及び前後に十字状に連接して設けられ、前記こたつ本体１の周囲を囲んで垂れ下げる側壁布団部６２…６２と、隣接する側壁布団部６２同士を継いで設けた継ぎ用布地部６３とを備えている。
【００２４】
前記布地部６３は各側壁布団部６２の間に隙間が形成されて前記こたつ本体１内の温熱が外部に逃げるのを防止するために設けたもので、この布地部６３は柔らかい布地等で構成されている。
前記各側壁布団部６２は、その長さを前記脚３の長さより若干短く形成し、掛布団６をこたつ本体１に掛けた際、布団部６２の下端（裾部）がやぐらこたつの設置部の床面やじゅうたん等に接触しないように構成してある。例えば、掛布団６をこたつに掛けた際、布団部６２の下端の位置が脚３の下端から約２〜約３ｃｍ程度高い位置になるように構成することができる。
【００２５】
また、図示の掛布団６は、前記各側壁布団部６２の一側における前記布地部６３に紐６４を介してボタン６５が取付けてあると共に他側における前記布地部６３にボタン孔６６を設けてある。前記構成により、こたつの使用時にボタン６５をボタン孔６６に係入することにより、掛布団６の下端側に隙間が生じるのを抑止して温熱が外部に逃げるのを防止する効果を一層良好にすることができる。
なお、前記ボタン６５及びボタン孔６６に代え、例えば面状ファスナー（商品名、マジックテープやベルクロ、いずれも登録商標）、或いはゴムマグネット等を採用することもできる。図８において、６８はミシン目を示す。また、図中、３２はテーブル台、３３は椅子等を示すものである。
【００２６】
実施の形態の電気やぐらこたつは上記のように構成したもので、次に使用方法の一例につき説明する。図７に示すように、やぐらこたつ本体１に掛布団６を掛けると共に足のせ板５上に敷き布団５８を敷設し、掛布団６の天井布団部６１上にテーブル台３２を戴置する。また、図示しない電気コードの電源スイッチをＯＮにすると共に発熱体ユニット４の温度調節用摘み４１を操作して所望温度に設定する。
【００２７】
そして、椅子等３３に腰掛け、履き物（図示せず）をぬいで足３１を敷き布団５８上に乗せ、或いは履き物（図示せず）を履いたままで前記板５の下部へ足３１を入れて使用する。また、テーブル台３２に代え、麻雀台（図示せず）を天井布団部６１上に戴置して使用することもできる。
なお、上述した使用例は一例として説明したもので上記以外の用途に使用できること勿論である。
【００２８】
また、上記した実施の形態は一例として開示したもので、本考案は上記の実施の形態に限定されるものではなく、実用新案登録請求の範囲に記載の技術思想を越脱しない範囲内において任意に変更可能なものである。
【図面の簡単な説明】
【００２９】
【図１】本考案の卓式電気やぐらこたつの一実施の形態を示す斜視図である。
【図２】同上こたつの側面図である。
【図３】図２のＡ−Ａ線断面図であって、同図（ａ）は足のせ板を取付けた状態を示す図、同図（ｂ）は足のせ板を取り外した状態を示す図である。
【図４】同上こたつのやぐらこたつ本体を組み立てる状態の一部を示す説明図である。
【図５】同上やぐらこたつ本体に足のせ板を取付ける状態の一部を示す説明図である。
【図６】同上こたつにこたつ用掛布団を掛けた状態を示す側面図である。
【図７】同上こたつの使用状態を示す説明図である。
【図８】こたつ用掛布団の一例を展開して示す説明図である。
【符号の説明】
【００３０】
１  やぐらこたつ本体
２  やぐら
３  脚
４  発熱体ユニット
５  足のせ板
【図１】
0003102653.tif 000003
【図２】
0003102653.tif 000004
【図３】
0003102653.tif 000005
【図４】
0003102653.tif 000006
【図５】
0003102653.tif 000007
【図６】
0003102653.tif 000008
【図７】
0003102653.tif 000009
【図８】
0003102653.tif 000010